(57)【特許請求の範囲】
【請求項１】
本体内と該本体の上部を覆う外蓋とを備え、該外蓋には、平面部と該平面部の一端側に回転自在に支持された支持部と該支持部の対向側に前記平面部の先端部を曲げた鉤状部とを有したフックレバーを設け、前記本体には、前記外蓋が閉じたときに前記鉤状部を係止するフック受け部と、前記平面部と当接して前記平面部の動きに押されて動くケンチレバーと、該ケンチレバーの動きに合わせて動作するスイッチと、前記ケンチレバーを支持するレバー軸と、前記ケンチレバーを付勢するレバーバネとを設け、前記ケンチレバーは、片側に前記鉤状部を避けて前記平面部に当接するケンチレバー先部と、対向端側に前記スイッチのアクチュエータを押すスイッチ押込部と、略中央部に前記鉤状部側に開口して前記レバー軸によって保持される略Ｕ字のＵ溝とを備え、前記レバー軸から前記ケンチレバーの前記Ｕ溝が脱落しない方向に前記レバーバネによって付勢することを特徴とする炊飯器。
【発明の詳細な説明】
【技術分野】
【０００１】
本発明は、外蓋を閉じて保持するロック構造（フックレバーの鉤状部とフック受け部）を備えた圧力式炊飯器に係るもので、外蓋がロックされたことを検知し、中途半端な半ロック状態を防止するものである。
【背景技術】
【０００２】
圧力式炊飯器においては、例えば外蓋のロック状態が半ロックの状態で炊飯が行われた場合、炊飯中に内釜内部に圧力が加わったことで外蓋が勢い良く開き、さらに、内釜内部の熱水やお米が内釜の外に飛散して危険な状態になる。
【０００３】
この危険な状態を未然に防ぐために外蓋のロック状態を検出する技術が知られている。
【０００４】
特許文献１（図３、図４、図５）に記載されたものは、蓋体に設けられた係合手段が、本体に設けられた被係合手段に係合している係合状態を検知するための係合検知手段とを有し、係合手段のラッチ爪部が被係合手段の固定部に十分深く侵入した時は、被係合手段に設けた発光素子と受光素子の間で光を遮ることで完全なロック状態を検知し、反対に光が遮られていない時は半ロック状態を検知することができるものである。また、被係合手段にマイクロスイッチを設け、該マイクロスイッチが押された時と、押されない時とで係合状態を検知するものである。
【先行技術文献】
【特許文献】
【０００５】
【特許文献１】特開２００９−１９１号公報
【発明の概要】
【発明が解決しようとする課題】
【０００６】
本体後部の軸で蓋体と本体を枢止し、前側で係止部を被係止部に係止する構造で、係止部が被係止部に確実に係止を完了させるには、蓋体の構成部品の寸法のバラツキ、操作性、組立性を考慮して寸法に尤度をとって作られているものである。
【０００７】
そのため上記した従来技術において、特許文献１に記載されたものは、スイッチの操作ストロークを確保しつつ、半ロックを起さないように、係止部、検知部材、スイッチなどの位置関係を精密に調整する工程が必要となり生産性が悪いという問題がある。
【課題を解決するための手段】
【０００８】
かかる課題を解決するため、本発明では、本体内と該本体の上部を覆う外蓋とを備え、該外蓋には、平面部と該平面部の一端側に回転自在に支持された支持部と該支持部の対向側に前記平面部の先端部を曲げた鉤状部とを有したフックレバーを設け、前記本体には、前記外蓋が閉じたときに前記鉤状部を係止するフック受け部と、前記平面部と当接して前記平面部の動きに押されて動くケンチレバーと、該ケンチレバーの動きに合わせて動作するスイッチと、前記ケンチレバーを支持するレバー軸と、前記ケンチレバーを付勢するレバーバネとを設け、前記ケンチレバーは、片側に前記鉤状部を避けて前記平面部に当接するケンチレバー先部と、対向端側に前記スイッチのアクチュエータを押すスイッチ押込部と、略中央部に前記鉤状部側に開口して前記レバー軸によって保持される略Ｕ字のＵ溝とを備え、前記レバー軸から前記ケンチレバーの前記Ｕ溝が脱落しない方向に前記レバーバネによって付勢するものである。
【発明の効果】
【０００９】
本発明によれば、スイッチの操作ストロークを確保し確実に半ロックを検出できる。
【００１０】
また、スイッチの操作ストロークを確保しスイッチなどの位置関係の調整が不要で生産性が良い。
【図面の簡単な説明】
【００１１】
【図１】一実施例の炊飯器の縦断面図である。
【図２】同炊飯器の外観説明図である。
【図３】同外蓋の内蓋側を説明する構造図である。
【図４】図３のＡ部をＰ矢方向から見た主要拡大断面図である
【図５】一実施例の外蓋の上内部を説明する構造図である。
【図６】同フックレバーの斜視図である。（ａ）前面側（ｂ）後面側
【図７】同炊飯器の外蓋を取外した本体の説明図である。
【図８】同炊飯器の下部の本体を取外した説明図である。
【図９】図７のＢ部をＱ矢方向から見た主要拡大図である。
【図１０】図７のＢ部をＲ矢方向から見た主要拡大図である。
【図１１】一実施例の上枠の斜視図である。
【図１２】図１１のＣ部をＳ矢方向から見た主要拡大図である。
【図１３】一実施例のボタン部クミの前側斜視図である。
【図１４】同ボタン部クミの後側斜視図である。
【図１５】一実施例のケンチレバーの前側斜視図である。
【図１６】同制御のブロック図である。
【図１７】一実施例のケンチレバーの、外蓋が開き状態の動作説明図である。
【図１８】同ケンチレバーの、外蓋が閉じる過程の動作説明図である。
【図１９】同ケンチレバーの、外蓋が閉じた状態の動作説明図である。
【発明を実施するための形態】
【００１２】
以下、本発明の実施例について図１から図１９に従って説明する。
【００１３】
図１において、炊飯器の本体１は、内側に上面が開口した保護枠１２が設けられ、保護枠１２内には内釜２が着脱自在に収納されている。保護枠１２は、底の中心に後述の鍋底温度センサー２０を取付ける穴の開いた有底の耐熱樹脂製の容器を用いたり、または側面に略筒状の真空容器を用いて断熱性を向上するものである。
【００１４】
内釜２は、上面が開口した有底筒状であり、その上端部は本体１から着脱操作がしやすいように外向きに略水平に折り曲げられ、本体１の上面の上枠２３に載置されている。
【００１５】
保護枠１２の外側底部には内釜２の底面部を誘導加熱する加熱手段４が設けられ、保護枠１２と本体１との間の後面側空間部には制御部５が配置され、該制御部５の働きによって加熱手段４を制御する。
【００１６】
外蓋３は、外蓋３の内面を構成する蓋内面部材３ａ（図３）と外蓋３の側面外観を構成する蓋外面部材３ｂ（図２）と外蓋３の上面外観を構成する蓋外面部材カバー３ｃ（図２）で構成されている。操作部３９が外蓋３の上面の蓋外面部材カバー３ｃに設けられている。蓋内面部材３ａには、内釜２の上面開口部を覆う内蓋６が外しつまみ６ａ（図３）により簡単に取外せるように着脱自在に取付けられ、内蓋６の下面周縁部に取付けられたシールパッキン７を内釜２の上端全周に当接して内釜２と内蓋６とで構成される空間を密閉状態に保持している。
【００１７】
内蓋６の略中央部には内釜２と内蓋６とで構成される前記密閉空間に連通する調圧弁８が設けられており、調圧弁８を閉じると、該内釜２内を所定の圧力（本実施例では１.３気圧）に調整しながら蒸気を外蓋３に設けられた蒸気通路９を経て該外蓋３に着脱自在に取付けた蒸気口キャップ１８を経て、排気口１８ａより本体１の外に排出する。調圧弁８を開くと、該内釜２内と外気とは排気口１８ａ（図２）を経て連通状態となり内釜２内には圧力が加わらない。
【００１８】
また、本体１にはヒンジ部２１を設け、蓋内面部材３ａの一方には、外蓋３を本体１と開閉自在に軸支する回転軸２２が設けられ、回転軸２２と対向する側には本体１に設けたフック受け部１７（図９）と係止して外蓋３を開かないようにする略コ字状のフックレバー１５がフック軸１６を支点として回転自在に軸支されている。
【００１９】
回転軸２２には外蓋３が開いて止まる動作を緩やかにするダンパ２２ａを備えて、緩やかに止めて操作性を高めている。
【００２０】
本体１の前面には外蓋３を開く時に押す操作ボタン１０を備える。操作ボタン１０は上枠２３の下部に備え、下端にスイッチ３４を備えたボタン部クミ３０を構成する。外蓋３の開閉に関する構造については後述する。
【００２１】
蒸気口キャップ１８と調圧弁８との間の蒸気通路９には、調圧弁８の近傍に位置するように蒸気温度センサー１９が設けられている。
【００２２】
制御部５には、図１６に示すように前記した蒸気温度センサー１９と、内釜２の底部の温度を検出する釜底温度センサー２０と、操作部３９と後述するスイッチ３４と、加熱手段４と、調圧弁８の調圧動作を行わせる調圧制御手段１１と冷却ファン４０が接続されている。
【００２３】
操作部３９とスイッチ３４と蒸気温度センサー１９と釜底温度センサー２０からの情報により冷却ファン４０と加熱手段４の動作と、調圧弁８を閉じたり開放したりする調圧動作で、内釜２内に圧力が加わらない状態とを切替制御している。
【００２４】
蒸気口キャップ１８は、外蓋３に蒸気通路９と連なるように上面から着脱自在に取付けられている。
【００２５】
該蒸気口キャップ１８は、蒸気通路９から排出される蒸気の温度を下げるように蒸気口キャップ１８の内部には蒸気通路９から流入した蒸気を排気口１８ａまで導く長い風路が設けられている。
【００２６】
図３、図４に示すように、外蓋３の蓋内面部材３ａの下側に、フック受け部１７と係止するフックレバー１５である左右２個の鉤状部１５ａを出して備えている。
【００２７】
図５、図６（ａ）（ｂ）に示すように、フックレバー１５は、回転自在に支持するため左右側面にフック軸１６に通す穴１５ｆを設けた支持部１５ｂを備え、フック軸１６を挟んで一端に鉤状部１５ａ、平面部１５ｃを備え、他端に当たり部１５ｅとバネ受部１５ｄを設けている。
【００２８】
鉤状部１５ａは、フック受け部１７（図９）に係止して、外蓋３を閉じた状態に保持する部分である。
【００２９】
蓋内面部材３ａの上側は図５に示すように、フック軸１６にはフックバネ１６ａを通してバネ保持部３ｄに一端を固定して、もう一端をフックレバー１５のバネ受部１５ｄに当てて、フックレバー１５をＫ矢方向に付勢している。
【００３０】
更に、平面部１５ｃは、ボタン部クミ３０に備えて、操作ボタン１０の操作により動作する後述のリリースレバー３３（図１３）のリリースレバー先部３３ｄ（図９，図１３）が前側（Ｗ矢方向（図１３））に押し出す部分である。また、後述のケンチレバー３２のケンチレバー先部３２ｄを押し込む部分である。
【００３１】
当たり部１５ｅについて説明する。調圧制御手段１１は、ソレノイドなどからなる電気部品で、制御部５の指示で出力軸を直線状に移動させるものである。その動作は、図５に示すように、調圧制御手段１１の外周を取り囲んで前側で一体となる連結枠材１１ａが、調圧制御手段１１の前後動作と直結して連動するように固定されている。連結枠材１１ａの前側は、バネ１１ｃにより、回転移動部材１１ｂが後側（Ｇ矢方向）の方向へ付勢されている。調圧制御手段１１が動作しない状態では、回転移動部材１１ｂが連結枠材１１ａの側にあり、フックレバー１５がフック軸１６を支点に当たり部１５ｅがＪ矢方向に回動しても当たり部１５ｅの下側には回転移動部材１１ｂはないので当たることは無く、外蓋３は開くことができる。
【００３２】
反対に、調圧制御手段１１が動作した状態では、調圧制御手段１１により連結枠材１１ａが前側に移動して、回転移動部材１１ｂが前側に移動して当たり部１５ｅの下側に回転移動部材１１ｂが潜り込んでいる。そのため、フックレバー１５がフック軸１６を支点に当たり部１５ｅがＪ矢方向に回動しようとすると、当たり部１５ｅは回転移動部材１１ｂに当たるので、外蓋３は開かなくなる。
【００３３】
次に、図７から図１４を用いて本体１に備えるボタン部クミ３０について説明する。図８に示すように、上枠２３に操作ボタン１０を外に突出して取付けられボタン部クミ３０の下端にスイッチ３４が備えられている。
【００３４】
図７、図９、図１０に示すように、上枠２３の上面で、フック受け部１７を構成する部分にはレバー収納部３１が設けられている。レバー収納部３１には、フック受け部１７の上側に斜面３１ａが設けられて、鉤状部１５ａが滑ってフック受け部１７に係止する構造としている。フック受け部１７は鋼板による強度の確保を行っている。
【００３５】
また、レバー収納部３１のフック受け部１７の内側には、ケンチレバー先部３２ｄとリリースレバー先部３３ｄをレバー収納部３１の前側のフック受け部１７より上部で、水平方向に突出させている。
【００３６】
ここで、図１１、図１２に示すように、上枠２３には、ケンチレバー３２とリリースレバー３３のケンチレバー先部３２ｄとリリースレバー先部３３ａを通す異形穴２３ｂと、ボタン部クミ３０の支え部３５ｂの固定穴３５ａを固定するボス２３ａとを備える。
【００３７】
図１３、図１４によって、ボタン部クミ３０について説明する。ボタンベース３５は略コの字状で、左右に設けた側面３５ｇに前記ボス２３ａに固定する固定穴３５ａを設けた支え部３５ｂを備える。
【００３８】
前側にはボタンバネ３７（図１）で操作ボタン１０をＶ矢方向と反対方向に付勢し、ボタンベース３５の前面３５ｆの下部には、操作ボタン１０の押込部１０ｂが後面３５ｈに貫通している。
【００３９】
ボタンベース３５の左右の側面３５ｇにレバー軸１０ａを貫通している。リリースレバー３３の左右両側の腕部３３ｂにレバー軸１０ａを貫通して枢止している。そのリリースレバー３３の上部前側に板バネ３６を係止させ、板バネ３６の受け部３６ａを前記の操作ボタン１０の押込部１０ｂが押す構造で、板バネ３６の動作により伝達部３３ａによって、上部の左右に設けたリリースレバー先部３３ｄを動かすものである。
【００４０】
操作ボタン１０をＶ矢の方向に押すと、前記した構造により、押込部１０ｂにより受け部３６ａがＷＶ矢方向に動き、伝達部３３ａを経てリリースレバー先部３３ｄがＷ矢方向に動くものである。
【００４１】
このリリースレバー先部３３ｄによって、フックレバー１５の平面部１５ｃが前方（Ｗ矢方向）に押し出されて、鉤状部１５ａがフック受け部１７から外れて、外蓋３が開くものである。
【００４２】
次に、ケンチレバー３２について図１５を加えて説明する。ケンチレバー３２は上部の左右２箇所にケンチレバー先部３２ｄを備え、中程にレバー軸１０ａに嵌り着脱自在のＵ溝３２ｃを備え、下端にはボタンベース３５の下端に設けたスイッチ３４を操作するスイッチ押込部３２ａを備える。
【００４３】
Ｕ溝３２ｃは、レバー軸１０ａの直径Ｒに対して、直径Ｒよりも幅の広い間口Ｆの直線状部分３２ｅと、その間口Ｆを直径とするＲ状部分３２ｆからなる。
【００４４】
そして、レバー軸１０ａに引っ掛けたケンチレバー３２のＵ溝３２ｃの上部で背面３２ｂにレバーバネ３８（図１７）を備えリリースレバー３３に対して反発して、レバーバネ３８によってケンチレバー先部３２ｄはＷ矢方向に付勢されている。そのため、外蓋３が開いている状態では、ケンチレバー先部３２ｄは、図９に示すようにレバー収納部３１の前方向に突出している。
【００４５】
スイッチ押込部３２ａは図１７に示すようにスイッチ３４のアクチュエータ３４ａを押し込むように設けている。
【００４６】
次に、図１７から図１９を用いて、フックレバー１５とケンチレバー３２とスイッチ３４の動作について説明する。
【００４７】
図１７は外蓋３が開き状態のケンチレバー３２の動作説明図である。
【００４８】
ケンチレバー３２は、レバー軸１０ａにＵ溝３２ｃのＲ状部分３２ｆが接して、レバーバネ３８によりＨ矢方向に押されている。ケンチレバー先部３２ｄはレバー収納部３１の前側から突出し、スイッチ３４のアクチュエータ３４ａに対して、スイッチ押込部３２ａは押し込まない状態で保たれている。
【００４９】
そして、外蓋３が回転軸２２を支点にして閉じてくると、フックレバー１５の鉤状部１５ａがレバー収納部３１の斜面３１ａに当たる。次に鉤状部１５ａで斜面３１ａをＬ矢方向に滑り、更に外蓋３を閉じると、やがて、鉤状部１５ａが斜面３１ａを滑り終わりフック受け部１７に係止する。このときに、フック軸１６を支点に、鉤状部１５ａはＹ矢方向に移動する。
【００５０】
次に、図１８は外蓋が閉じる過程のケンチレバー３２の動作説明図である。
【００５１】
図１７で説明したように、フックレバー１５の鉤状部１５ａがフック受け部１７に係止すると、ケンチレバー３２のケンチレバー先部３２ｄは、フックレバー１５の平面部１５ｃでＺ矢方向へ押し込まれる。
【００５２】
すると、ケンチレバー３２は、レバー軸１０ａにＵ溝３２ｃのＲ状部分３２ｆが接して、レバーバネ３８によりＨ矢方向に押されているが、レバーバネ３８よりも上方のケンチレバー先部３２ｄをＺ矢方向に押し込まれたので、レバー軸１０ａはＵ溝３２ｃのＲ状部分３２ｆに接してＭ矢方向に回転運動をする。そのため、Ｕ溝３２ｃより下部にあるスイッチ押込部３２ａはスイッチ３４のアクチュエータ３４ａをＺ矢方向と反対方向へ押す。これにより、スイッチ３４はＯＮして、制御部５に伝えられる。
【００５３】
最後に、図１９は、外蓋が閉じた状態のケンチレバーの動作説明図である。図１８に示した外蓋３が閉じる過程に続いて完全に閉じる状態について説明する。
【００５４】
ケンチレバー先部３２ｄがフックレバー１５の平面部１５ｃでＺ矢方向に押し込まれてスイッチ３４のアクチュエータ３４ａをスイッチ押込部３２ａで押している。そのスイッチ３４のアクチュエータ３４ａの押しストロークを最大に押し切って尚更に、ケンチレバー先部３２ｄがフックレバー１５の平面部１５ｃで押し込むと、ケンチレバー３２はＮ矢方向に動く。すると、レバー軸１０ａにＵ溝３２ｃのＲ状部分３２ｆに接触して支点となっていた状態から、レバー軸１０ａからＲ状部分３２ｆが外れ、直線状部分３２ｅで枢止する。そのため、レバー軸１０ａに対して、ケンチレバー３２が逃げて可動範囲が広がる。そして、スイッチ３４のアクチュエータ３４ａとスイッチ押込部３２ａの接触点が支点となる。そのため、スイッチ３４はＯＮとなった後に、平面部１５ｃでケンチレバー先部３２ｄをレバー収納部３１に押し込むことができる。
【００５５】
本実施は以上の構成よりなり、次にその動作を説明する。
【００５６】
使用者が内釜２に適量の米と水を入れ、保護枠１２に挿入し、外蓋３を閉めると、外蓋３は回転軸２２によって回転し、フックレバー１５はフック軸１６を支点に回転動作してフックレバー１５の鉤状部１５ａがフック受け部１７を乗り越え、該フック受け部１７に係止して外蓋３が閉まる。
【００５７】
この状態で外蓋３を開ける場合は、内釜２と内蓋６とで構成される空間は外気と連通しているので圧力は掛かっておらず、圧力による外蓋３を上方に押し上げようとする力が無いため、フックレバー１５の鉤状部１５ａとフック受け部１７との係止力は弱い。図１３と図１４に示すように使用者が外蓋３を開けようと軽い力で操作ボタン１０をＶ矢方向に押し込み操作をすると、操作ボタン１０の押込部１０ｂがＷＶ矢方向に動いた力に対して、板バネ３６は少ない変形量を維持したまま、操作ボタン１０に加わった力をリリースレバー３３に伝え、リリースレバー３３のリリースレバー先部３３ｄはフックレバー１５の平面部１５ｃを前側（Ｗ矢方向）に押す。これによって、フックレバー１５は、フック軸１６を中心に回転し、フックレバー１５の鉤状部１５ａとフック受け部１７との係止を解除して外蓋３が開かれる。
【００５８】
そして、平面部１５ｃによりレバー収納部３１に押し込められていたケンチレバー先部３２ｄがレバー収納部３１より突出し、同時に、レバー軸１０ａに枢止するＵ溝３２ｃを支点としてスイッチ押込部３２ａが回動して、スイッチ３４のアクチュエータ３４ａを開放してスイッチ３４がＯＦＦになる。スイッチ３４がＯＦＦになったことが制御部５に伝えられる。
【００５９】
再び外蓋３を閉め、使用者が炊飯を行うために操作部３９の炊飯開始ボタン（図示せず）を操作すると、制御部５の働きによって炊飯が開始する。
【００６０】
外蓋３を閉めたときに、フックレバー１５が、レバー収納部３１より突出しているケンチレバー先部３２ｄを押し込み、レバー軸１０ａに枢止するＵ溝３２ｃを支点としてスイッチ押込部３２ａが回動して、スイッチ３４のアクチュエータ３４ａを押す。更にスイッチ３４のアクチュエータ３４ａの押し切った後も、フックレバー１５が、レバー収納部３１より突出しているケンチレバー先部３２ｄを押し込むため、レバー軸１０ａにＵ溝３２ｃのＲ状部分３２ｆから外れて、直線状部分３２ｅで枢止して、レバー軸１０ａに対して、ケンチレバー３２が逃げて可動範囲が広がり、更に、スイッチ３４のアクチュエータ３４ａを押し込もうとする動きを続ける。そのため、スイッチ３４のアクチュエータ３４ａの動きとケンチレバー３２の各部の寸法関係に尤度を持たせることができる。
【００６１】
そして、スイッチ３４がＯＮすることで、外蓋３が完全に閉じたことを制御部５は検知することが、スイッチ３４がＯＦＦの状態（外蓋３が開放されている。もしくは半ロック状態）では、炊飯に移行しないようにしている。
【００６２】
予め定められた炊飯動作に従い、最初にお米への吸水を促進させる浸し工程が実施される。釜底温度センサー２０の所定温度（本実施例では６０℃）に応じて加熱手段４が内釜２を加熱（本実施例では４００Ｗ）し、内釜２内部の水温を５５〜６０℃に維持してお米への吸水を促進する。
【００６３】
所定時間（本実施例では１５分）が経過すると、制御部５は加熱手段４の加熱量を増大（本実施例では１０００Ｗ）させるとともに、調圧制御手段１１が動作して調圧弁８で内釜２内の圧力を調整するように動作する。
【００６４】
やがて内釜２内部の水温が高まると蒸気の発生によって内釜２内部の圧力が高まり、調圧弁８の動作圧である１.３気圧まで高まると、１.３気圧に応じた１０７℃の沸点で沸騰を開始するとともに、調圧弁８の動作で放出された蒸気が蒸気通路９へと放出される。
【００６５】
蒸気通路９には調圧弁８の近傍に蒸気温度センサー１９が設けられているので、蒸気によって加熱された蒸気温度センサー１９の温度上昇により、蒸気の流入を検出し、制御部５は一定温度以上になることで沸騰を認識する。
【００６６】
制御部５は加熱手段４の加熱量を低下（本実施例では５００Ｗ）させるが、この加熱量は調圧弁８の動作圧である１.３気圧を維持し、この気圧の沸点である１０７℃での沸騰を継続、または断続的に継続させる。
【００６７】
この間、圧力が加わった状態では、外蓋３は１００kg程度の力で上方に押し上げられ、フックレバー１５の鉤状部１５ａとフック受け部１７は強固に係合し、荷重による摩擦力によって容易に外れることはない。
【００６８】
この状態で使用者が誤って外蓋３を開けようとして、操作ボタン１０を操作すると、フックレバー１５は軽微な力で容易に回転できる状態ではないので、リリースレバー３３も前方向に動くことはできず、板バネ３６が変形して、操作ボタン１０の操作力を吸収する。
【００６９】
更に、操作ボタン１０を強く押し込むと、押し込む力に比例して板バネ３６は横側に変形し、操作ボタン１０はリリースレバー３３の伝達部３３ａの後側に曲がり込む。しかし、このときリリースレバー３３には変形した形状が元に戻ろうとする復元力が働き、該復元力以上は操作ボタン１０の押し込み力がリリースレバー３３には伝わることはない。
【００７０】
これによって使用者が操作ボタン１０を押しても外蓋３が開かず、安全が確保される。
一方、炊飯の途中で炊飯を中止するために切操作をした場合には、制御部５は加熱手段４への電力の通電を停止して加熱を止め、調圧制御手段１１の動作を止め、調圧弁８を開放させる。
【００７１】
これによって内釜２内の蒸気は、調圧弁８が開放されると蒸気通路９と蒸気口キャップ１８内の風路を通って排気口１８ａから放出される。しかし、蒸気が放出されるまでの経路が長いため経路抵抗が生じ、一瞬に内釜２内の圧力が外気と同じ圧力になることはなく、短時間ではあるが、弱い圧力が内釜２内に残り、時間の経過とともに大気圧と同じ圧力に戻る。
【００７２】
しかし、この弱い圧力が内釜２内に残っている状態で、外蓋３を開ける操作を行っても、板バネ３６が変形して元に戻る復元力を、フックレバー１５の鉤状部１５ａとフック受け部１７との係止している摩擦力以下に設定することで、フックレバー１５の鉤状部１５ａとフック受け部１７の係止が外れることはない。
【００７３】
以上説明したように、本実施例によれば、スイッチ３４の操作ストロークを確保し確実に半ロックを検出できる。
【００７４】
また、スイッチ３４の操作ストロークを確保しフックレバー１５の鉤状部１５ａ、ケンチレバー３２、スイッチ３４などの位置関係の調整が不要で生産性が良い。
【符号の説明】
【００７５】
１  本体
２  内釜
３  外蓋
４  加熱手段
５  制御部
６  内蓋
８  調圧弁
９  蒸気通路
１０  操作ボタン
１０ａ  レバー軸
１１  調圧制御手段
１３  連結バネ
１４  ボタンレバー
１５  フックレバー
１５ａ  鉤状部
１５ｂ  支持部
１５ｃ  平面部
１７  フック受け部
２１  ヒンジ部
２３  上枠
３２  ケンチレバー
３２ｂ  背面
３２ｃ  Ｕ溝
３２ｄ  ケンチレバー先部
３２ｅ  直線状部分
３２ｆ  Ｒ状部分
３４  スイッチ
３５  ボタンベース
３８  レバーバネ
【図１】
0005604382.tif 000002
【図２】
0005604382.tif 000003
【図３】
0005604382.tif 000004
【図４】
0005604382.tif 000005
【図５】
0005604382.tif 000006
【図６】
0005604382.tif 000007
【図７】
0005604382.tif 000008
【図８】
0005604382.tif 000009
【図９】
0005604382.tif 000010
【図１０】
0005604382.tif 000011
【図１１】
0005604382.tif 000012
【図１２】
0005604382.tif 000013
【図１３】
0005604382.tif 000014
【図１４】
0005604382.tif 000015
【図１５】
0005604382.tif 000016
【図１６】
0005604382.tif 000017
【図１７】
0005604382.tif 000018
【図１８】
0005604382.tif 000019
【図１９】
0005604382.tif 000020